【事件の表示】
　平成　４年特許願第　５６８９２号「光ディスク記録再生装置」拒絶査定に対する審判事件［平成　５年　９月　３日出願公開、特開平　５−２２５７５９］について、次のとおり審決する。
【結　論】
　本件審判の請求は、成り立たない。
【理　由】
 １．出願の経緯・本件発明
  本件出願は、平成４年２月７日の出願であって、平成１０年４月２４日付け、平成１０年９月１１日付け、平成１１年４月２７日付けおよび平成１１年１２月２４日付けで補正された明細書および図面の記載によれば、本件請求項１に係る発明は「ＵＴＯＣを有する光ディスクであっても、良好なタイマー動作を行える光ディスク記録再生装置を提供すること」を目的とし、その特許請求の範囲の請求項１に記載されたとおりの下記の構成により特定されたもの（以下、「本件請求項１に係る発明」という。）である。
「【請求項１】光ディスクにユーザの記録した情報の目次情報としてＵＴＯＣ情報を記録する光ディスク記録再生装置において、記録開始、再生開始または停止を指示するタイマー手段と、電源の状態を監視するとともに、この電源の状態により必要な情報をメモリに記憶させるような指示を出す電源監視手段と、バックアップされるとともに前記電源監視手段の指示により記録が中断された光ディスクの位置を記憶する位置記憶メモリと、バックアップされるとともに前記電源監視手段の指示により前記記録中に更新されたＵＴＯＣ情報を記憶するＵＴＯＣ情報記憶メモリを設け、タイマー動作が開始された場合、前記位置記憶メモリに記憶された光ディスクの位置から記録がなされるように構成した光ディスク記録再生装置。」
　
２．刊行物記載発明
　当審の拒絶理由で引用した特開平０３−２１７９３５号公報（以下、「刊行物２」という。）には、「書込み速度を向上させ、かつ確実に記録情報をメディア媒体に記録する手段を提供すること」を目的とし、「ディスクドライブ装置が、ホストコンピューターより送られた記録情報を、メモリー管理回路を通じてバッファーメモリーに書込み動作終了後、かつ記録情報をバッファーメモリーよりメディア媒体への書込み動作開始前において電源異常が発生した場合、補助電池電源を動作させ、メモリー管理回路及びバッファーメモリーに記録されている記録情報を保存し、メディア媒体の取り外しを禁止し、電源異常状態復帰後、バッファーメモリーに保持記録されているデータ情報をメモリー管理回路に保持記録されているファイル管理情報にしたがってメディア媒体に書込み、その後、イジェクトロック機構を解除する」（特許請求の範囲）、「メモリー管理回路１０２にはバッファーメモリー１０３に記録されているデータに関する情報、例えばデータＩＤ、メディア媒体上の記録番地、及びファイル更新フラグが保持されている。」（第３頁２行〜５行）、「電源異常状態から復帰した時、ディスクドライブ装置制御用ＣＰＵ１０４はディスクドライブ装置の所定の準備動作を行った後、メモリー管理回路１０２内部にあるデータ更新フラグをチエックし、もし１つ以上のファイル更新フラグがセットされている場合、その記録番地情報に従ってバッファーメモリー１０３に保持されている記録情報をメディア媒体１０７に書込み、」（第３頁左下欄９行〜１６行）とする発明が記載されている。
 　同じく当審の拒絶理由で引用した実願昭６２−４６６７１号のマイクロフィルム（実開昭６３−１５７８５７号公報参照）（以下、「刊行物５」という。）には、「簡単な構成により第１曲目以外の曲の再生を可能と」することを目的とし、「第４図において、まずタイマーの設定時刻が来ると電源をオンにする。・・ＣＤプレーヤのモードを予めタイマープレーにするスイッチがオンにしてあるか否かを判断する。タイマープレースイッチがオフであれば、通常の電源スイッチをオンとした状態と同様の待機状態となり、使用者がプレー操作することによって、・・演奏を開始する。タイマープレースイッチがオンであれば、コンパクトディスクのデータ情報を読み取ったのち、第１曲目の音楽信号を再生する。」（第２頁７行〜１８行）、「ＳＷ１はタイマープレースイッチであり、このスイッチＳＷ１の操作によりマイコン４はタイマープレーと判断し、タイマー１のオン動作でＣＤプレーヤ部３の再生をスタートする。ＳＷ２はランダムプレースイッチであり、このスイッチＳＷ２を操作するとマイコン４はランダムプレーと判断し、ＣＤプレーヤ部３に対し、後述するランダムプレー動作を実行させるよう制御する。」（第５頁１７行〜第６頁５行）、とする発明が記載されている。
　
３．対比・判断
　 上記刊行物２記載発明と本件請求項１に係る発明を対比するに、
上記刊行物２記載発明の「ディスクドライブ装置」は本件請求項１に係る発明の「光ディスク記録再生装置」に相当し、上記刊行物２記載発明の「ディスクドライブ装置」は、該ディスクドライブ装置が、ホストコンピューターより送られた記録情報を、メモリー管理回路を通じてバッファーメモリーに書込み動作終了後、かつ記録情報をバッファーメモリーよりメディア媒体への書込み動作開始前において電源異常が発生した場合、補助電池電源を動作させ、メモリー管理回路及びバッファーメモリーに記録されている記録情報を保存することから、実質的に本件請求項１に係る発明の「電源監視手段」を有しており、上記刊行物２記載発明の「メモリー管理回路１０２」は本件請求項１に係る発明の「位置記憶メモリ」に相当し、
上記刊行物２記載発明の「バッファーメモリー１０３」は本件請求項１に係る発明の「ＵＴＯＣ情報記憶メモリ」に相当し、上記刊行物２記載発明は、記録開始、再生開始または停止を指示する手段を有することから、
  上記刊行物２には、本件請求項１に係る発明に則すれば、「光ディスクにユーザの記録した情報の目次情報としてＵＴＯＣ情報を記録する光ディスク記録再生装置において、記録開始、再生開始または停止を指示する手段と、電源の状態を監視するとともに、この電源の状態により必要な情報をメモリに記憶させるような指示を出す電源監視手段と、バックアップされるとともに前記電源監視手段の指示により記録が中断されたディスクの位置を記憶する位置記憶メモリと、バックアップされるとともに前記電源監視手段の指示により前記記録中に更新されたＵＴＯＣ情報を記憶するＵＴＯＣ情報記憶メモリを設け、前記位置記憶メモリに記憶されたディスクの位置から記録がなされるように構成した光ディスク記録再生装置。」とする発明が記載されているといえる。
　本願請求項1に係る発明と上記刊行物２記載発明とを対比するに、下記（１）、（２）の点で相違し、その余は実質的に相違しない。
（１）「記録開始、再生開始または停止を指示する手段」が、本件請求項１に係る発明では「タイマー手段」であるのに対し、上記刊行物2記載発明では特定されていない点、
（２）「位置記憶メモリに記憶されたデイスクの位置から記録がなされる」条件を、本件請求項１に係る発明では「タイマー動作が開始された場合」としているのに対し、上記刊行物2記載発明では特定されていない点。
  相違点について審究するに、当該分野に於いて、記録開始、再生開始または停止を指示する手段としてスイッチのような状態設定機能を有するタイマー手段は上記刊行物５に示されるように周知事項である。また、記録の開始を上記記録開始の指示をするタイマー手段とすることは当然のことである
　してみれば、上記相違点（１）、（２）は上記刊行物５に示される周知事項の単なる適用により容易に発明をすることができたものといえる。
　結局、本件請求項1に係る発明は、上記刊行物２、５記載発明に基づいて当業者が容易に発明をすることができたものものであるから、特許法２９条２項の規定により、特許を受けることができない。